(57)【要約】【課題】窓晴れ要求が無いシーンで動力性能を確保しつつ、窓晴れ要求が有るシーンで窓晴れによる外界視認性を確保すること。【解決手段】エンジン１１（走行用駆動源）の駆動力制御と、エンジン１１により直接的又は間接的に駆動されるコンプレッサ２１を有するエアコンシステム２の空調制御との協調制御を行う協調コントローラ４６を備える。そして、以下の手順による駆動力制御と空調制御の協調制御方法としている。加速要求が有るか否かを判定する。フロントウインドウ２８の窓晴れ要求が有るか否かを判定する。窓晴れ要求が無い場合、加速要求に基づく動力性能を優先する空調制御を実施する。窓晴れ要求が有る場合、加速要求に基づく動力性能よりも窓晴れ要求に対する窓晴れ性能を優先する空調制御を実施する。【選択図】図４
2019214219.tif 000002
【特許請求の範囲】
【請求項１】
走行用駆動源の駆動力制御と、前記走行用駆動源により直接的又は間接的に駆動されるコンプレッサを有するエアコンシステムの空調制御との協調制御を行うコントローラを備える駆動力制御と空調制御の協調制御方法において、
加速要求が有るか否かを判定し、
フロントウインドウの窓晴れ要求が有るか否かを判定し、
前記窓晴れ要求が無い場合、前記加速要求に基づく動力性能を優先する空調制御を実施し、
前記窓晴れ要求が有る場合、前記加速要求に基づく動力性能よりも前記窓晴れ要求に対する窓晴れ性能を優先する空調制御を実施する
ことを特徴とする駆動力制御と空調制御の協調制御方法。
【請求項２】
請求項１に記載された駆動力制御と空調制御の協調制御方法において、
前記コントローラは、前記加速要求が有る場合、前記コンプレッサを停止して動力性能を確保する加速時空調停止機能を有し、
前記加速要求が有り、かつ、前記窓晴れ要求が無い場合、前記加速時空調停止機能を許可し、前記コンプレッサを停止して動力性能を優先し、
前記加速要求が有り、かつ、前記窓晴れ要求が有る場合、前記加速時空調停止機能を禁止し、前記コンプレッサを駆動して窓晴れ性能を優先する
ことを特徴とする駆動力制御と空調制御の協調制御方法。
【請求項３】
請求項１又は２に記載された駆動力制御と空調制御の協調制御方法において、
前記加速要求は、アクセル開度が加速要求判定閾値以上の場合に加速要求有りと判定する
ことを特徴とする駆動力制御と空調制御の協調制御方法。
【請求項４】
請求項１から３までの何れか一項に記載された駆動力制御と空調制御の協調制御方法において、
前記エアコンシステムによる空調モードを手動選択する場合、窓晴れを要求する空調モードが選択されていると前記窓晴れ要求が有りと判定する
ことを特徴とする駆動力制御と空調制御の協調制御方法。
【請求項５】
請求項１から３までの何れか一項に記載された駆動力制御と空調制御の協調制御方法において、
前記エアコンシステムによる空調モードを自動選択する場合、窓晴れ要求する空調モードの選択情報を入力すると前記窓晴れ要求が有りと判定する
ことを特徴とする駆動力制御と空調制御の協調制御方法。
【請求項６】
走行用駆動源の駆動力制御と、前記走行用駆動源により直接的又は間接的に駆動されるコンプレッサを有するエアコンシステムの空調制御との協調制御を行うコントローラを備える駆動力制御と空調制御の協調制御装置において、
前記コントローラは、
加速要求が有るか否かを判定する加速要求判定部と、
フロントウインドウの窓晴れ要求が有るか否かを判定する窓晴れ要求判定部と、
前記窓晴れ要求が無い場合、前記加速要求に基づく動力性能を優先する空調制御を実施し、前記窓晴れ要求が有る場合、前記加速要求に基づく動力性能よりも前記窓晴れ要求に対する窓晴れ性能を優先する空調制御を実施する実施判定部と、を有する
ことを特徴とする駆動力制御と空調制御の協調制御装置。
【発明の詳細な説明】
【技術分野】
【０００１】
本開示は、駆動力制御と空調制御の協調制御方法及び協調制御装置に関する。
【背景技術】
【０００２】
従来、エンジンの絞り弁が全開状態であることが検知されると、コンプレッサの作動を一時停止する車両用空気調和装置のコンプレッサ一時停止装置が知られている（例えば、特許文献１参照）。
【先行技術文献】
【特許文献】
【０００３】
【特許文献１】実開昭５６−７９６４５号公報
【発明の概要】
【発明が解決しようとする課題】
【０００４】
従来装置は、エアコン作動中、アクセルペダルを所定開度以上踏み込んだ場合、コンプレッサの作動が一時停止されることで、エンジン負荷が低下し、エンジン出力による駆動力を増加させている。しかし、動力性能優先でエアコン負荷を低減（エアコンOFF）し続けると、エバポレータの温度が徐々に上昇し、除湿能力が低下してしまい、フロントウインドウの曇りが発生してしまう。また、フロントデフロスタスイッチONにより、乗員が窓晴れ要求をした場合、動力性能優先でエアコンOFFにすると、窓曇り除去ができない、という問題があった。
【０００５】
本開示は、上記問題に着目してなされたもので、窓晴れ要求が無いシーンで動力性能を確保しつつ、窓晴れ要求が有るシーンで窓晴れによる外界視認性を確保することを目的とする。
【課題を解決するための手段】
【０００６】
上記目的を達成するため、本開示は、走行用駆動源の駆動力制御と、走行用駆動源により直接的又は間接的に駆動されるコンプレッサを有するエアコンシステムの空調制御との協調制御を行うコントローラを備える。そして、以下の手順による駆動力制御と空調制御の協調制御方法としている。
加速要求が有るか否かを判定する。
フロントウインドウの窓晴れ要求が有るか否かを判定する。
窓晴れ要求が無い場合、加速要求に基づく動力性能を優先する空調制御を実施する。
窓晴れ要求が有る場合、加速要求に基づく動力性能よりも窓晴れ要求に対する窓晴れ性能を優先する空調制御を実施する。
【発明の効果】
【０００７】
このように、フロントウインドウの窓晴れ要求が有ると、動力性能よりも窓晴れ性能を優先する空調制御が実施される。この結果、窓晴れ要求が無いシーンで動力性能を確保しつつ、窓晴れ要求が有るシーンで窓晴れによる外界視認性を確保することができる。
【図面の簡単な説明】
【０００８】
【図１】実施例１の駆動力制御と空調制御の協調制御方法及び協調制御装置が適用されたエンジン車を示す全体システム図である。
【図２】エンジンコントロールモジュールに有する協調コントローラの構成を示すブロック図ある。
【図３】エンジンコントロールモジュールに有する協調コントローラで実行されるエンジン駆動力制御と空調制御との協調制御処理の流れを示すフローチャートである。
【図４】加速要求の有無と窓晴れ要求の有無とが様々な組み合わせとなるシーンにおけるエアコンカット指令の有無を示すタイムチャートである。
【発明を実施するための形態】
【０００９】
以下、本開示による駆動力制御と空調制御の協調制御方法及び協調制御装置を実施するための形態を、図面に示す実施例１に基づいて説明する。
【実施例１】
【００１０】
実施例１における駆動力制御と空調制御の協調制御方法及び協調制御装置は、走行用駆動源として搭載されたエンジンにより直接的に駆動されるコンプレッサを有するエアコンシステムを装備したエンジン車に適用したものである。以下、実施例１の構成を、「全体システム構成」、「協調コントローラの構成」、「エンジン駆動力制御と空調制御との協調制御処理構成」に分けて説明する。
【００１１】
［全体システム構成］
図１は、実施例１の駆動力制御と空調制御の協調制御方法及び協調制御装置が適用された車載エアコンシステムを含む全体システム構成を示す。以下、図１に基づいて全体システム構成を、エンジン車駆動系１とエアコンシステム２と駆動伝達機構３とエンジン制御系４とエアコン制御系５とに分けて説明する。
【００１２】
エンジン車駆動系１は、図１に示すように、エンジン１１（走行用駆動源）と、トルクコンバータ１２と、無段変速機１３と、ファイナルドライブ１４と、を備えている。さらに、左ドライブシャフト１５Ｌと、右ドライブシャフト１５Ｒと、左駆動輪１６Ｌと、右駆動輪１６Ｒと、を備えている。
【００１３】
即ち、エンジン１１からの駆動力は、トルクコンバータ１２と無段変速機１３を経由してファイナルドライブ１４へと伝達される。そして、ファイナルドライブ１４からは左ドライブシャフト１５Ｌを経由して左駆動輪１６Ｌに駆動力が伝達され、右ドライブシャフト１５Ｒを経由して右駆動輪１６Ｒに駆動力が伝達される。
【００１４】
エアコンシステム２は、冷媒を循環させる冷凍サイクルを、コンプレッサ２１と、コンデンサ２２と、レシーバ２３と、エキスパンションバルブ２４と、エバポレータ２５とによって構成している。このエアコンシステム２には、冷凍サイクルの構成要素以外に、コンデンサファン２６とブロワファン２７を備えている。
【００１５】
コンプレッサ２１は、エンジン１１により直接的に駆動される圧縮器である。コンプレッサ２１によって圧縮された冷媒（エアコンガス）は高温高圧の半液体の状態でコンデンサ２２に入る。
【００１６】
コンデンサ２２は、コンデンサファン２６と共に走行風を導入する車両前部位置等に配置される凝縮器である。コンプレッサ２１からコンデンサ２２に入ってきた冷媒は、コンデンサファン２６の風によって冷却され、さらに液化が進みレシーバ２３へ送られる。
【００１７】
レシーバ２３は、コンデンサ２２の出口直後に配置される冷媒の気液分離器である。レシーバ２３は、コンデンサ２２からの液化が進んだ冷媒のうち、液化できなかった冷媒を液冷媒として分離する。なお、レシーバ２３は、気液分離機能以外に、乾燥剤やストレーナによって冷媒から水分や不純物を取り除く機能も有する。
【００１８】
エキスパンションバルブ２４は、エバポレータ２５の入口位置に配置される冷媒の膨張弁である。エキスパンションバルブ２４では、レシーバ２３からの液冷媒を微小なノズル穴から噴射することで膨張させ、一気に冷媒を気化させ、エバポレータ２５へ気化冷媒を送る。
【００１９】
エバポレータ２５は、空調ユニットケース内にブロワファン２７と共に設けられる蒸発器である。エバポレータ２５では、エキスパンションバルブ１０から送られてきた気化した冷媒が周りの熱を奪っていき、それによってエバポレータ２５が冷やさる。そこにブロワファン２７の風を通過させて冷風を起こす。そして、エバポレータ２５を出た冷媒は、再びコンプレッサ２１に戻り圧縮される。
【００２０】
ここで、レシーバ２３とエキスパンションバルブ２４とエバポレータ２５とブロワファン２７は、図外のダッシュパネルとインストルメントパネルにより挟まれた車室空間内に配置される空調ユニットケース内に設けられる。よって、車室内の空気中の水分は冷たくなっているエバポレータ２５の表面で凝縮されて水滴となり、車外へ放出される。これにより除湿が行われる。なお、空調ユニットケース内には、エンジン冷却水が流れる熱交換器やＰＴＣヒータ等による暖房ユニットも設けられる。
【００２１】
駆動伝達機構３は、エンジン１１とコンプレッサ２１との間で駆動伝達状態と駆動遮断状態を切り替える機構である。この駆動伝達機構３は、エンジンクランク軸３１に設けられた第１プーリ３２と、コンプレッサ駆動軸３３に設けられた第２プーリ３４と、両プーリ３２，３４に掛け渡されたベルト３５によって構成される。さらに、コンプレッサ駆動軸３３と第２プーリ３４との間には電磁クラッチ３６が介装されている。
【００２２】
即ち、電磁クラッチ３６をクラッチON（クラッチ締結）にすると、エンジン１１とコンプレッサ２１とが駆動伝達状態で連結される。一方、電磁クラッチ３６をクラッチOFF（クラッチ解放）にすると、エンジン１１とコンプレッサ２１とが駆動遮断状態で切り離される。
【００２３】
エンジン制御系４は、エンジンコントロールモジュール４１と、車速センサ４２と、アクセル開度センサ４３と、エンジンクランク角センサ４４と、燃料噴射アクチュエータ４５と、を備えている。
【００２４】
エンジンコントロールモジュール４１で実行されるエンジン駆動力制御は、車速センサ４２からの車速VSPとアクセル開度センサ４３からのアクセル開度APOとに基づいて目標駆動力を算出する。そして、目標駆動力を、エンジン性能マップを用いて目標エンジン回転数に換算し、エンジンクランク角センサ４４からの実エンジン回転数が目標エンジン回転数に一致するように、燃料噴射アクチュエータ４５へ燃料噴射指令を出力することで行われる。
【００２５】
エアコン制御系５は、HVACコントロールモジュール５１と、クラッチドライバー５２と、エアコンON/OFFスイッチ５３と、オートスイッチ５４と、モードスイッチ５５と、フロントデフロスタスイッチ５６と、を備えている。これ以外に、内外気切り替えスイッチ５７と、風量調節スイッチ５８と、温度調節スイッチ５９等を備えている。
なお、「HVAC」とは、「Heating Ventilation and Air Conditioning」の略称である。
【００２６】
HVACコントロールモジュール５１は、各種のスイッチ信号やセンサ信号を入力し、コンプレッサ２１のON/OFF制御や風量制御やドア開閉制御や吹き出し口の選択制御、等により空調制御を実施する。HVACコントロールモジュール５１とエンジンコントロールモジュール４１は情報交換可能に接続されている。そして、HVACコントロールモジュール５１は、電磁クラッチ３６のON要求やエンジン１１の駆動力制御許可信号等の様々な情報をエンジンコントロールモジュール４１へ出力する。
【００２７】
クラッチドライバー５２は、コンプレッサ２１のON/OFF制御を実施する電磁クラッチ３６の駆動回路である。HVACコントロールモジュール５１からコンプレッサ２１のON要求をクラッチドライバー５２が入力すると、電磁クラッチ３６をクラッチONとし、エンジン１１とコンプレッサ２１とを駆動伝達状態で連結する。一方、HVACコントロールモジュール５１からコンプレッサ２１のOFF要求をクラッチドライバー５２が入力すると、電磁クラッチ３６をクラッチOFFとし、エンジン１１とコンプレッサ２１とが駆動遮断状態で切り離す。
【００２８】
クラッチドライバー５２では、HVACコントロールモジュール５１からの要求以外に、エンジンコントロールモジュール４１に有する協調コントローラ４６からのON/OFF要求を受け付ける。このとき、加速要求と窓晴れ要求の少なくとも一方に基づいて協調コントローラ４６からON/OFF要求があると、HVACコントロールモジュール５１からのON/OFF要求に優先して受け付ける。
【００２９】
エアコンON/OFFスイッチ５３は、空調制御を開始/作動するエアコンONと空調制御を終了するエアコンOFFを切り替えるスイッチである。
【００３０】
オートスイッチ５４は、自動空調制御に切り替えるスイッチである。オートスイッチ５４を投入し、自動空調制御を選択すると、冷房・暖房の切り替え、吹き出し口、風量、内気循環／外気導入の切り替えを自動調節し、車室内温度を設定温度に維持する制御が行われる。
【００３１】
モードスイッチ５５は、乗員操作により選択されるベントモードやフットモードやデフロスタモード等によって吹き出し口を切り替えるスイッチである。
【００３２】
フロントデフロスタスイッチ５６は、乗員操作によりデフロスタモードを選択するスイッチである。デフロスタモードを選択すると、インストルメントパネルの上面にフロントウインドウ２８に向けて設定された吹き出し口を開け、例えば、除湿された空調風をフロントウインドウ２８に吹き付けることでウインドウ内面の曇りを除去する。
【００３３】
［協調コントローラの構成］
図２は、エンジンコントロールモジュール４１に有する協調コントローラ４６の構成を示す。以下、図２に基づいて協調コントローラ４６の構成を説明する。
【００３４】
協調コントローラ４６は、図２に示すように、加速要求判定部４６ａと、エアコンOFF時間算出部４６ｂと、カット時間タイマ機能部４６ｃと、窓晴れ要求判定部４６ｄと、実施判定部４６ｅと、を備えている。そして、協調コントローラ４６は、加速要求が有る場合、コンプレッサ２１を停止して動力性能を確保する加速時エアコンOFF機能（加速時空調停止機能）を有する。つまり、加速要求が有る場合、エンジン１１とコンプレッサ２１とを切り離すことでエンジン１１のコンプレッサ負荷を抑え、コンプレッサ負荷分のエンジン１１の余裕駆動力を高めて加速要求に応える機能を有する。
【００３５】
加速要求判定部４６ａは、アクセル開度APOと車速VSPを入力し、加速要求が有るか否かを判定する。例えば、下記の場合に加速要求が有ると判定する。
(a)ドライバーによるアクセル踏み込み操作によるアクセル開度APOが加速要求判定閾値（例えば、APO≧3/8開度程度）以上の場合、加速要求（ドライバー要求）が有ると判定する。
(b)先行車追従制御や自動運転制御等において、アクセル開度APOが加速要求判定閾値以上になる加速要求があると、加速要求（システム要求）が有ると判定する。
【００３６】
なお、加速要求判定閾値は、走行負荷の大きさによって変更（走行負荷が大きいほど高アクセル開度）しても良い。さらに、車速VSPの高低に応じて変更（発進時に比べて走行中は高アクセル開度）しても良い。
【００３７】
エアコンOFF時間算出部４６ｂは、アクセル開度APOと車速VSPを入力し、エアコンOFF時間を算出する。エアコンOFF時間は、例えば、アクセル踏み込み操作量やアクセル踏み増し操作量により推定される加速要求の大きさに応じて加速後の目標車速を算出し、現在の車速VSPが目標車速に到達するであろうと推定される所要時間を算出する。即ち、高車速走行中に加速追い越しをするときは時間を要するというように、車速VSPが高いほど長いエアコンOFF時間を算出する。
【００３８】
カット時間タイマ機能部４６ｃは、加速要求判定部４６ａから加速要求有りとの判定結果を入力すると、エアコンOFF時間算出部４６ｂからのエアコンOFF時間をタイマ時間としてカット要求（エアコンOFF要求）を実施判定部４６ｅに出力する。
【００３９】
窓晴れ要求判定部４６ｄは、フロントウインドウ２８の窓晴れ要求が有るか否かを判定する。例えば、下記の場合、窓晴れ要求が有りと判定する。
(a)エアコンシステム２による空調モードを手動選択する場合、窓晴れを要求する空調モードの選択スイッチであるフロントデフロスタスイッチ５６がオンであると、窓晴れ要求（ドライバー要求）が有りと判定する。
(b)エアコンシステム２による空調モードを手動選択する場合、モードスイッチ５５によりデフロスタモード（窓晴れを要求する空調モード）が選択されると、窓晴れ要求（ドライバー要求）が有りと判定する。
(c)エアコンシステム２による空調モードをオートスイッチ５４の投入により自動選択する場合、デフロスタモード（窓晴れ要求する空調モード）の選択情報を入力すると、窓晴れ要求（システム要求）が有りと判定する。
【００４０】
実施判定部４６ｅは、カット時間タイマ機能部４６ｃからのカット要求と窓晴れ要求判定部４６ｄからの判定結果を入力し、窓晴れ要求が無い場合、加速要求に基づく動力性能を優先する空調制御を実施する。一方、窓晴れ要求が有る場合、加速要求に基づく動力性能よりも窓晴れ要求に対する窓晴れ性能を優先する空調制御を実施する。より詳細には、加速要求が有り、かつ、窓晴れ要求が無い場合、加速時エアコンOFF機能を許可し（エアコンOFF要求を出力し）、コンプレッサ２１を停止して動力性能を優先する。一方、加速要求が有り、かつ、窓晴れ要求が有る場合、加速時エアコンOFF機能を禁止し（エアコンON要求を出力し）、コンプレッサ２１を駆動して窓晴れ性能を優先する。
【００４１】
［エンジン駆動力制御と空調制御との協調制御処理構成］
図３は、エンジンコントロールモジュール４１に有する協調コントローラ４６で実行されるエンジン駆動力制御と空調制御との協調制御処理の流れを示す。以下、図３の各ステップについて説明する。
【００４２】
ステップＳ１では、加速要求判定部４６ａにおいて加速要求有りか否かを判定する。YES（加速要求有り）の場合はステップＳ３へ進み、NO（加速要求無し）の場合はステップＳ２へ進む。
【００４３】
ステップＳ２では、ステップＳ１での加速要求無しであるとの判定に続き、加速時エアコンOFF機能を禁止し、リターンへ進む。
【００４４】
ステップＳ３では、ステップＳ１での加速要求有りであるとの判定に続き、窓晴れ要求判定部４６ｄにおいて窓晴れ要求有りか否かを判定する。YES（窓晴れ要求有り）の場合はステップＳ４へ進み、NO（窓晴れ要求無し）の場合はステップＳ５へ進む。
【００４５】
ステップＳ４では、ステップＳ３での窓晴れ要求有りであるとの判定に続き、加速時エアコンOFF機能を禁止し、リターンへ進む。
【００４６】
ステップＳ５では、ステップＳ３での窓晴れ要求無しであるとの判定に続き、加速時エアコンOFF機能を許可し、リターンへ進む。
【００４７】
次に、実施例１の作用を、「エンジン駆動力制御と空調制御との協調制御処理作用」、「エンジン駆動力制御と空調制御との協調制御作用」に分けて説明する。
【００４８】
［エンジン駆動力制御と空調制御との協調制御処理作用］
加速要求無しのときは、図３のフローチャートにおいて、Ｓ１→Ｓ２→リターンへと進む流れが繰り返される。Ｓ２では、加速時エアコンOFF機能が禁止される。このように、加速要求無しのときは、加速時エアコンOFF機能が禁止され、コンプレッサ２１は、HVACコントロールモジュール５１からのON/OFF要求にしたがってON/OFFの制御が行われる。
【００４９】
加速要求有り、かつ、窓晴れ要求無しのときは、図３のフローチャートにおいて、Ｓ１→Ｓ３→Ｓ５→リターンへと進む流れが繰り返される。Ｓ５では、加速時エアコンOFF機能が許可される。このように、加速要求有り、かつ、窓晴れ要求無しのときは、加速要求が有るため、協調コントローラ４６からのエアコンOFF要求にしたがってコンプレッサ２１を停止する制御が行われる。つまり、動力性能優先でのエンジン駆動力制御と空調制御との協調制御が実施される。
【００５０】
一方、加速要求有り、かつ、窓晴れ要求有りのときは、図３のフローチャートにおいて、Ｓ１→Ｓ３→Ｓ４→リターンへと進む流れが繰り返される。Ｓ４では、加速時エアコンOFF機能が禁止される。このように、加速要求有り、かつ、窓晴れ要求有りのときは、加速要求が有るにもかかわらず、協調コントローラ４６からのエアコンON要求にしたがってコンプレッサ２１を作動させる制御が行われる。つまり、窓晴れ性能優先でのエンジン駆動力制御と空調制御との協調制御が実施される。
【００５１】
［エンジン駆動力制御と空調制御との協調制御作用］
加速要求が有る場合、窓晴れ要求の有無にかかわらず、コンプレッサを停止して動力性能を確保する加速時エアコンOFF機能を発揮するものを比較例とする。
【００５２】
この比較例の場合、例えば、エアコン作動中にアクセルペダルを所定値以上踏み込んだ場合は、エアコンシステムのコンプレッサを停止させることでエンジン負荷を低下させ、駆動力を増加させる動力性能優先の協調制御が行われる。
【００５３】
しかし、動力性能優先の協調制御を行い、コンプレッサの停止を継続してエンジン負荷を低下させると、エバポレータの温度が徐々に上昇し、除湿能力が低下してしまい、フロントウインドウに曇りが発生してしまう。このとき、フロントデフロスタスイッチをONにして乗員が窓晴れ要求をしても、動力性能優先でエアコンシステムがOFFにされていると、フロントウインドウの曇りを除去することができない。
【００５４】
フロントウインドウの曇りが除去でないと、車両前方の外界視認性が損なわれ、運転走行に支障を与えることになる。また、車両前方を撮像するフロントカメラを装備した車両の場合、フロントカメラからの画像データが不鮮明なものになる。
【００５５】
さらに、窓晴れ要求に対して窓晴れ性能を満足させるには、エアコンシステムがONであることが必要条件になる。これに対し、動力性能については、例えば、エアコンシステムがONであってもエンジンに余裕駆動力が有る場合は、アクセル踏み増し等により加速要求に対して動力性能を満足できる。よって、動力性能と窓晴れ性能を対比した場合、窓晴れ性能を優先することが有利である。
【００５６】
本発明は、上記課題と窓晴れ性能を優先することが有利である点に着目してなされたものである。即ち、エンジン駆動力制御と空調制御との協調制御では、窓晴れ要求が無い場合、加速要求に基づく動力性能を優先する空調制御を実施する。窓晴れ要求が有る場合、加速要求に基づく動力性能よりも窓晴れ要求に対する窓晴れ性能を優先する空調制御を実施する手段を採用した。
【００５７】
ここで、エンジン駆動力制御と空調制御との協調制御作用の一例を、図４に示すタイムチャートにより説明する。
【００５８】
時刻t1と時刻t2の区間は、加速要求有り、かつ、窓晴れ要求無しである。このため、時刻t1と時刻t2の区間は、協調コントローラ４６からの電磁クラッチ３６を切り離すカット指令有りとなる。よって、電磁クラッチ３６が切り離され、加速要求に基づく動力性能が優先される。
【００５９】
時刻t2と時刻t3の区間は、加速要求無し、かつ、窓晴れ要求無しである。このため、時刻t2と時刻t3の区間は、協調コントローラ４６からの電磁クラッチ３６を切り離すカット指令無しとなる。よって、電磁クラッチ３６のON/OFFは、HVACコントロールモジュール５１からの要求に委ねられる。
【００６０】
時刻t3と時刻t4の区間は、加速要求無し、かつ、窓晴れ要求有りである。このため、時刻t3と時刻t4の区間は、協調コントローラ４６からの電磁クラッチ３６を切り離すカット指令無しとなる。よって、HVACコントロールモジュール５１からのON要求により電磁クラッチ３６が締結され、デフロスタモードによる窓晴れ要求に応える空調制御が実施される。
【００６１】
時刻t4と時刻t5の区間は、加速要求有り、かつ、窓晴れ要求有りである。このように時刻t4と時刻t5の区間は、加速要求有りであるが、窓晴れ要求有りであるため、協調コントローラ４６からの電磁クラッチ３６を切り離すカット指令無しとなる。よって、HVACコントロールモジュール５１からのON要求により電磁クラッチ３６が締結され、デフロスタモードによる窓晴れ要求に応える空調制御が実施され、動力性能よりも窓晴れ要求に基づく窓晴れ性能が優先される。
【００６２】
時刻t5と時刻t6の区間は、加速要求無し、かつ、窓晴れ要求有りである。このため、時刻t5と時刻t6の区間は、協調コントローラ４６からの電磁クラッチ３６を切り離すカット指令無しとなる。よって、HVACコントロールモジュール５１からのON要求により電磁クラッチ３６が締結され、デフロスタモードによる窓晴れ要求に応える空調制御が実施される。
【００６３】
時刻t6と時刻t7の区間は、加速要求有り、かつ、窓晴れ要求有りである。このように時刻t6と時刻t7の区間は、加速要求有りであるが、窓晴れ要求有りであるため、協調コントローラ４６からの電磁クラッチ３６を切り離すカット指令無しとなる。よって、HVACコントロールモジュール５１からのON要求により電磁クラッチ３６が締結され、デフロスタモードによる窓晴れ要求に応える空調制御が実施され、動力性能よりも窓晴れ要求に基づく窓晴れ性能が優先される。
【００６４】
時刻t7と時刻t8の区間は、加速要求有り、かつ、窓晴れ要求無しである。このため、時刻t7と時刻t8の区間は、協調コントローラ４６からの電磁クラッチ３６を切り離すカット指令有りとなる。よって、電磁クラッチ３６が切り離され、加速要求に基づく動力性能が優先される。
【００６５】
時刻t8以降の区間は、加速要求無し、かつ、窓晴れ要求無しである。このため、時刻t8以降の区間は、協調コントローラ４６からの電磁クラッチ３６を切り離すカット指令無しとなる。よって、電磁クラッチ３６のON/OFFは、HVACコントロールモジュール５１からの要求に委ねられる。
【００６６】
このように、窓晴れ要求が無い場合、加速要求に基づく動力性能を優先する空調制御を実施することで、加速要求が有ると、電磁クラッチ３６を切り離し、動力性能を優先する制御が実施される（t1〜t2区間、t7〜t8区間）。よって、エンジン１１が分担するコンプレッサ負荷が低下し、コンプレッサ負荷低下分のエンジン余裕駆動力により、加速要求に応える動力性能が確保される。
【００６７】
一方、フロントウインドウ２８の窓晴れ要求が有ると、窓晴れ性能を優先する空調制御を実施することで、加速要求があっても、電磁クラッチ３６を締結し、窓晴れ性能を優先する制御が実施される（t4〜t5区間、t6〜t7区間）。よって、デフロスタモードによる窓晴れ要求に応える空調制御が実施され、窓晴れによる外界視認性が確保される。
【００６８】
この結果、窓晴れ要求が無いシーンで動力性能を確保しつつ、窓晴れ要求が有るシーンで窓晴れによる外界視認性を確保することができる。例えば、動力性能優先の協調制御の実施（電磁クラッチ３６の切り離し）によりエバポレータ２５での除湿能力が低下し、フロントウインドウ２８に曇りが発生したとする。この場合、乗員がフロントデフロスタスイッチ５６をONにして窓晴れ要求をすると、エアコンシステム２が作動し、空調風をフロントウインドウ２８に吹き付けることでウインドウ内面の曇りが速やかに除去される。このため、車両前方の外界視認性が確保され、運転走行に支障を与えることを防止することができる。また、車両前方を撮像するフロントカメラを装備した車両の場合、フロントカメラからの画像データの鮮明さを確保することができる。
【００６９】
以上説明したように、実施例１の駆動力制御と空調制御の協調制御方法及び協調制御装置にあっては、下記に列挙する効果を奏する。
【００７０】
(1) 走行用駆動源（エンジン１１）の駆動力制御と、走行用駆動源により直接的又は間接的に駆動されるコンプレッサ２１を有するエアコンシステム２の空調制御との協調制御を行うコントローラ（協調コントローラ４６）を備える駆動力制御と空調制御の協調制御方法において、
加速要求が有るか否かを判定し、
フロントウインドウ２８の窓晴れ要求が有るか否かを判定し、
窓晴れ要求が無い場合、加速要求に基づく動力性能を優先する空調制御を実施し、
窓晴れ要求が有る場合、加速要求に基づく動力性能よりも窓晴れ要求に対する窓晴れ性能を優先する空調制御を実施する（図４）。
このように、フロントウインドウ２８の窓晴れ要求が有ると、動力性能よりも窓晴れ性能を優先する空調制御が実施される。この結果、窓晴れ要求が無いシーンで動力性能を確保しつつ、窓晴れ要求が有るシーンで窓晴れによる外界視認性を確保する駆動力制御と空調制御の協調制御方法を提供することができる。
【００７１】
(2) コントローラ（協調コントローラ４６）は、加速要求が有る場合、コンプレッサ２１を停止して動力性能を確保する加速時空調停止機能（加速時エアコンOFF機能）を有し、
加速要求が有り、かつ、窓晴れ要求が無い場合、加速時空調停止機能を許可し、コンプレッサ２１を停止して動力性能を優先し、
加速要求が有り、かつ、窓晴れ要求が有る場合、加速時空調停止機能を禁止し、コンプレッサ２１を駆動して窓晴れ性能を優先する（図３）。
このように、予めコントローラ（協調コントローラ４６）に有する加速時空調停止機能（加速時エアコンOFF機能）をベースとし、協調制御が組み込まれる。この結果、加速時空調停止機能（加速時エアコンOFF機能）をそのまま活用し、窓晴れ要求の有無判定を加えるだけで容易に駆動力制御と空調制御の協調制御を組み込むことができる。
【００７２】
(3) 加速要求は、アクセル開度APOが加速要求判定閾値以上の場合に加速要求有りと判定する（図２）。
このため、アクセル開度APOの大きさにより、容易に加速要求の有無を判定することができる。
【００７３】
(4) エアコンシステム２による空調モードを手動選択する場合、窓晴れを要求する空調モード（デフロスタモード）が選択されていると窓晴れ要求が有りと判定する（図２）。
このため、窓晴れを要求する空調モード（デフロスタモード）の手動選択により、容易に窓晴れ要求の有無を判定することができる。
【００７４】
(5) エアコンシステム２による空調モードを自動選択する場合、窓晴れ要求する空調モード（デフロスタモード）の選択情報を入力すると窓晴れ要求が有りと判定する（図２）。
このため、窓晴れを要求する空調モード（デフロスタモード）の自動選択により、容易に窓晴れ要求の有無を判定することができる。
【００７５】
(6) 走行用駆動源（エンジン１１）の駆動力制御と、走行用駆動源により直接的又は間接的に駆動されるコンプレッサ２１を有するエアコンシステム２の空調制御との協調制御を行うコントローラ（協調コントローラ４６）を備える駆動力制御と空調制御の協調制御装置において、
コントローラ（協調コントローラ４６）は、
加速要求が有るか否かを判定する加速要求判定部４６ａと、
フロントウインドウ２８の窓晴れ要求が有るか否かを判定する窓晴れ要求判定部４６ｄと、
窓晴れ要求が無い場合、加速要求に基づく動力性能を優先する空調制御を実施し、窓晴れ要求が有る場合、加速要求に基づく動力性能よりも窓晴れ要求に対する窓晴れ性能を優先する空調制御を実施する実施判定部４６ｅと、を有する（図２）。
このように、フロントウインドウ２８の窓晴れ要求が有ると、動力性能よりも窓晴れ性能を優先する空調制御が実施される。この結果、窓晴れ要求が無いシーンで動力性能を確保しつつ、窓晴れ要求が有るシーンで窓晴れによる外界視認性を確保する駆動力制御と空調制御の協調制御装置を提供することができる。
【００７６】
以上、本開示の駆動力制御と空調制御の協調制御方法及び協調制御装置を実施例１に基づいて説明してきた。しかし、具体的な構成については、この実施例１に限られるものではなく、特許請求の範囲の各請求項に係る発明の要旨を逸脱しない限り、設計の変更や追加等は許容される。
【００７７】
実施例１では、コンプレッサ２１として、エンジン１１により直接的に駆動されるコンプレッサを用いる例を示した。しかし、コンプレッサとしては、走行用駆動源により間接的に駆動される電動コンプレッサを用いても良い。電動コンプレッサの場合、走行用駆動源によりジェネレータを駆動して発電し、これをバッテリに充電し、バッテリ電源によりコンプレッサモータを駆動する。よって、走行用駆動源にはジェネレータによる発電負荷が加わるため、動力性能を優先する場合、発電負荷を低減することで、その分、駆動力を確保することにより実現できる。
【００７８】
実施例１では、協調コントローラ４６として、加速要求が有り、かつ、窓晴れ要求が無い場合、加速時エアコンOFF機能を許可し、コンプレッサ２１を停止して動力性能を優先する。加速要求が有り、かつ、窓晴れ要求が有る場合、加速時エアコンOFF機能を禁止し、コンプレッサ２１を駆動して窓晴れ性能を優先する例を示した。しかし、協調コントローラとしては、例えば、コンプレッサが可変容量型コンプレッサの場合、コンプレッサのON/OFF制御ではなく、コンプレッサ容量制御により実施する例としても良い。この場合、動力性能を優先する場合には容量小側への変更制御とし、窓晴れ性能を優先する場合には容量大側への変更制御とする。また、コンプレッサが電動コンプレッサの場合、ジェネレータによる発電負荷制御により実施する例としても良い。この場合、この場合、動力性能を優先する場合には発電負荷小側への変更制御とし、窓晴れ性能を優先する場合には発電負荷大側への変更制御とする。
【００７９】
実施例１では、協調コントローラ４６として、加速要求が有る場合、コンプレッサ２１を停止して動力性能を確保する加速時エアコンOFF機能を有し、加速時エアコンOFF機能をベースとして協調制御を実施する例を示した。しかし、協調コントローラとしては、加速時エアコンOFF機能を有さないコントローラを用いて協調制御を実施する例であっても良い。
【００８０】
実施例１では、協調コントローラ４６として、エンジンコントロールモジュール４１に有する例を示した。しかし、協調コントローラとしては、HVACコントロールモジュールに有する例であっても良いし、また、エンジンコントロールモジュールとHVACコントロールモジュールとは独立に有する例であっても良い。
【００８１】
実施例１では、加速要求を、アクセル開度APOが加速要求判定閾値以上の場合に加速要求有りと判定する例を示した。しかし、加速要求を、アクセル開度以外に、アクセル開速度等を用いて加速要求の有無を判定する例であっても良い。また、自動運転車両において目標経路と共に目標経路に沿った車速プロファイルが生成される場合、車速プロファイルの上昇勾配により加速要求の有無を判定する例であっても良い。
【００８２】
実施例１では、窓晴れ要求の有無を、エアコンシステム２の空調モードとして窓晴れ要求する空調モード（デフロスタモード）が手動選択や自動選択されているか否かにより判定する例を示した。しかし、窓晴れ要求の有無を、エバポレータ温度の変化を直接的又は間接的に監視することによりエバポレータの除湿能力の有無を推定し、エバポレータの除湿能力が無いと推定されると、窓晴れ要求有りと判定する例であっても良い。
【００８３】
実施例１では、本開示の駆動力制御と空調制御の協調制御方法及び協調制御装置を、走行用駆動源として搭載されたエンジンにより駆動されるコンプレッサを有するエアコンシステムを装備したエンジン車に適用する例を示した。しかし、本開示の駆動力制御と空調制御の協調制御方法及び協調制御装置は、走行用駆動源としてエンジンとモータが搭載されたハイブリッド車両や走行用駆動源としてモータが搭載された電気自動車に対しても適用することができる。要するに、走行用駆動源により直接的又は間接的に駆動されるコンプレッサを有するエアコンシステムを装備した車両であれば適用できる。
【符号の説明】
【００８４】
１  エンジン車駆動系
１１  エンジン（走行用駆動源）
２  エアコンシステム
２１  コンプレッサ
２２  コンデンサ
２３  レシーバ
２４  エキスパンションバルブ
２５  エバポレータ
３  駆動伝達機構
３６  電磁クラッチ
４  エンジン制御系
４１  エンジンコントロールモジュール
４２  車速センサ
４３  アクセル開度センサ
４４  エンジンクランク角センサ
４５  燃料噴射アクチュエータ
４６  協調コントローラ
４６ａ  加速要求判定部
４６ｂ  エアコンOFF時間算出部
４６ｃ  カット時間タイマ機能部
４６ｄ  窓晴れ要求判定部
４６ｅ  実施判定部
５  エアコン制御系
５１  HVACコントロールモジュール
５２  クラッチドライバー
５３  エアコンON/OFFスイッチ
５４  オートスイッチ
５５  モードスイッチ
５６  フロントデフロスタスイッチ
【図１】
2019214219.tif 000003
【図２】
2019214219.tif 000004
【図３】
2019214219.tif 000005
【図４】
2019214219.tif 000006